【事件の表示】
　特願２００６−５３９０８４「液晶表示装置」拒絶査定不服審判事件〔平成１８年　４月１３日国際公開、ＷＯ２００６／０３８２５３〕について、次のとおり審決する。
【結　論】
　本件審判の請求は、成り立たない。
【理　由】
第１　手続の経緯　 
　本願は、平成１６年９月３７日を国際出願日とする出願であって、平成２０年６月１７日付け及び平成２０年１１月７日付けで手続補正がなされた後、平成２２年１月２６日付けで平成２０年１１月７日付けの手続補正に対して補正却下の決定がなされるとともに、同日付けで拒絶査定がなされ、これに対して平成２２年４月２３日に拒絶査定不服審判の請求がなされると同時に、手続補正がなされたものである。
　
第２　補正却下の決定
[補正却下の決定の結論］ 
 　平成２２年４月２３日付けの手続補正（以下「本願補正」という。）を却下する。 
　
［理由］　 
１　補正の内容 
　本件補正は、特許請求の範囲を、
　補正前の
「【請求項１】
　液晶素子を有する液晶表示装置において、
　前記液晶表示装置に入力されるディジタルデータである表示データを前記液晶素子に印加するアナログ電圧に変換するディジタル・アナログ変換回路を有するデータドライバと、　前記ディジタル・アナログ変換回路が、前記表示データを対応するアナログ電圧に変換するために複数の前記アナログ電圧の組み合わせを複数組発生する階調基準電圧発生部を有し、
　前記データドライバは、前記表示データに含まれる表示色に応じて、前記アナログ電圧の複数組のいずれかに基づき、前記ディジタルデータをアナログ電圧に変換することを特徴とする液晶表示装置。
　　【請求項２】
　液晶素子を有する液晶表示装置において、
　前記液晶表示装置に入力されるディジタルデータである表示データを前記液晶素子に印加するアナログ電圧に変換するディジタル・アナログ変換回路を有するデータドライバと、
　前記ディジタル・アナログ変換回路が、前記表示データを対応するアナログ電圧に変換するために複数の前記アナログ電圧の組み合わせを複数組発生する階調基準電圧発生部と、
　前記表示データの階調を補正するγ補正回路とを有し、
　前記表示データ中の表示色データに応じて、前記表示データに対応する表示色の前記液晶素子への表示に同期させ、前記γ補正回路による階調の補正と前記表示色に対応する前記アナログ電圧の組み合わせの組とを選択し、前記表示データを表示することを特徴とする液晶表示装置。
　　【請求項３】
　液晶素子を有する液晶表示装置において、
　前記液晶表示装置に入力されるディジタルデータである表示データを前記液晶素子に印加するアナログ電圧に変換するディジタル・アナログ変換回路を有するデータドライバと、
　前記ディジタル・アナログ変換回路が、前記表示データを対応するアナログ電圧に変換するために複数の前記アナログ電圧の組み合わせを複数組発生する階調基準電圧発生部と、
　前記表示データの階調を補正するγ補正回路と、
　前記液晶素子の背面側に配置される複数の発光色を切り替え発光可能なバックライトとを有し、
　前記表示データ中の表示色データに応じて、前記表示色に対応する前記アナログ電圧の組み合わせの組を選択し、前記バックライトの発光輝度を制御することを特徴とする液晶表示装置。
　　【請求項４】
　請求項１乃至請求項３において、前記液晶素子は、自発性分極を有する液晶材料を有することを特徴とする液晶表示装置。
　　【請求項５】
　請求項４において、前記液晶材料は、強誘電性液晶または反強誘電性液晶であることを特徴とする液晶表示装置。
　　【請求項６】
　液晶表示装置のソースドライバをＩＣ化したＬＣＤソースドライバＩＣが表示データをデジタル−アナログ変換する際に必要となる階調表示用の基準電圧を発生させる階調基準電圧発生回路において、ＬＣＤソースドライバＩＣへ供給する階調基準電圧の組み合わせを２種類以上生成し、表示色に同期して前記階調基準電圧の組み合わせを色毎に切替える前記階調基準電圧発生回路が備えられていることを特徴とする液晶表示装置。
　【請求項７】
　液晶表示装置のソースドライバをＩＣ化したＬＣＤソースドライバＩＣが表示データをデジタル−アナログ変換する際に必要となる階調表示用の基準電圧を発生させる階調基準電圧発生回路において、ＬＣＤソースドライバＩＣへ供給する階調基準電圧の組み合わせを２種類以上を生成し、表示色に同期して前記階調基準電圧の組み合わせを切替える前記階調基準電圧発生回路と、表示装置に入力された表示データの階調を補正するγ補正回路とを有し、各表示色に同期して前記階調基準電圧発生回路と前記γ補正回路を連動させ、表示色毎に、前記階調基準電圧発生回路から出力される電圧の組み合わせ方と、前記γ補正回路での補正の仕方を変更することを特徴とする液晶表示装置。
　【請求項８】
　液晶表示装置のソースドライバをＩＣ化したＬＣＤソースドライバＩＣが表示データをデジタル−アナログ変換する際に必要となる階調表示用の基準電圧を発生させる階調基準電圧発生回路において、ＬＣＤソースドライバＩＣへ供給する階調基準電圧の組み合わせを２種類以上を持ち、表示色に同期して前記階調表示用基準電圧の組み合わせを切替える前記階調基準電圧発生回路と、前記液晶表示装置に入力される表示データの階調を補正するγ補正回路と、液晶素子の背面側に配置されるバックライトの発光輝度を表示色ごとに調整するバックライトコントロール回路とを有し、各表示色に同期して前記階調基準電圧発生回路と前記γ補正回路と前記バックライトコントロール回路を連動させ、表示色毎に、前記階調基準電圧発生回路から出力される電圧の組み合わせ方と、前記γ補正回路での補正の仕方と、前記バックライトコントロール回路によるバックライトの発光輝度の度合いを変更すること特徴とする液晶表示装置。
　【請求項９】
　請求項１乃至請求項８に記載の液晶表示装置を備えたことを特徴とする携帯端末装置。」から、
　
　補正後の
「　【請求項１】
　液晶素子を有する液晶表示装置において、
　バックライトの色を時分割で切り替える時分割カラー方式の前記液晶表示装置に入力されるディジタルデータである表示データを前記液晶素子に印加するアナログ電圧に変換するディジタル・アナログ変換回路を有するデータドライバと、
　前記ディジタル・アナログ変換回路が、前記表示データを対応するアナログ電圧に変換するために複数の前記アナログ電圧の組み合わせを複数組発生する階調基準電圧発生部を有し、
　前記データドライバは、前記表示データに含まれる表示色に応じて、前記アナログ電圧の複数組のいずれかに基づき、前記ディジタルデータをアナログ電圧に変換することを特徴とする液晶表示装置。
　【請求項２】
　請求項１において、前記液晶素子は、自発性分極を有する液晶材料を有することを特徴とする液晶表示装置。
　【請求項３】
　請求項２において、前記液晶材料は、強誘電性液晶または反強誘電性液晶であることを特徴とする液晶表示装置。
　【請求項４】
　請求項１乃至請求項３に記載の液晶表示装置を備えたことを特徴とする携帯端末装置。」
に補正しようとすることを含むものである。
　
２　補正の目的
　本件補正前後の特許請求の範囲の請求項の記載を比較すると、請求項１について、補正前に記載された「前記液晶表示装置」を「バックライトの色を時分割で切り替える時分割カラー方式」の前記液晶表示装置に限定されている。
　したがって、本件補正は、平成１８年法律第５５号改正附則第３条第１項によりなお従前の例によるとされる同法による改正前の特許法（以下「平成１８年改正前特許法」という。）第１７条の２第４項第２号に掲げる、特許請求の範囲の減縮を目的とする補正を含む補正である。
　
　そこで、本件補正後の請求項１に記載された事項により特定される発明（以下「本願補正発明」という。）が特許出願の際独立して特許を受けることができるものであるか（平成１８年改正前特許法第１７条の２第５項で準用する特許法第１２６条第５項の規定に適合するか）について、以下に検討する。
　
３　引用刊行物、周知例
（１）引用刊行物１
　原査定の拒絶の理由に引用され、本願の出願前に頒布された刊行物である特開２００１−４２８３３号公報（以下「引用刊行物１」という。）には、以下の事項が図面とともに記載されている。
　
ア
「【０００１】
【発明の属する技術分野】本発明は、カラー表示可能な表示装置、特に液晶表示装置に関する。」
イ
「【０００３】
【発明が解決しようとする課題】従来のカラー液晶表示装置は、ＣＲＴと比較して広い表示色範囲を有するものの、表示色範囲が階調によって変化するという問題がある（例えば、日経マイクロデバイス誌、１９９６年７月号、第１０１〜１０８頁参照）。」
ウ
「【０００９】本発明は、上記課題を解決するためになされたものであり、その目的とするところは、色再現性に優れたカラー表示装置を提供することにある。」
エ
　「【００３３】
【発明の実施の形態】本願発明者は、階調によって表示色範囲およびまたは白表示の色温度が変化する問題を解決するために、カラー液晶表示装置の電圧−輝度曲線（Ｖ−Ｔ曲線）およびガンマ特性を詳しく検討し、その結果、本願発明に至った。（略）」
オ
「【００４１】そこで、色再現性を向上するために、
本発明によるカラー液晶表示装置
【００４２】Ｒ、Ｇ、Ｂそれぞれのカラー絵素に印加される信号電圧Ｖr、Ｖg、Ｖbと階調データＸとの関係をそれぞれ独立にするためには、例えば２つの方法が考えられる。
【００４３】まず、図５に示したように、
階調レベルＧＬの関数Ｇrで表される｛ＶＧｒ｝を生成する第１階調電圧生成回路と、階調レベルＧＬの関数Ｇbで表される｛ＶＧｂ｝を生成する第２階調電圧生成回路と、階調レベルＧＬの関数Ｇgで表される｛ＶＧｇ｝を生成する第３階調電圧生成回路
Ｒ画像データの階調レベルＸｒに応じて｛ＶＧｒ｝から選択したＲ表示信号電圧を出力し、Ｂ画像データの階調レベルＸbに応じて｛ＶＧｂ｝から選択したＢ表示信号電圧を出力し、Ｇ画像データの階調レベルに応じて｛ＶＧｇ｝から選択したＧ表示信号を出力する
カ
「【００４５】以下、本発明の実施形態をより詳細に説明する。
【００４６】（実施形態１）図５は本発明の実施形態１のノーマリホワイトモードの
カラー液晶表示装置１００
複数のＲ（第１カラー）絵素２、Ｂ（第２カラー）絵素４およびＧ（第３カラー）絵素６を有する
キ
「【００４７】画像表示用メモリ５０は、Ｒ画像データ５２、Ｂ画像データ５４およびＧ画像データ５６を含むカラー画像データを出力する。画像表示用メモリ５０から出力された、これらのＲ画像データ５２、Ｂ画像５４データおよびＧ緑画像データ５６は、信号側駆動回路１８に入力される。
信号側駆動回路１８において、Ｒ画像データ５２の階調レベルＸｒに応じてＲ用階調電圧生成回路１２で生成されたＲ用階調電圧を選択することによってＲ用表示信号電圧が出力される。また、Ｂ画像データ５４の階調レベルＸｂに応じてＢ用階調電圧生成回路１４で生成されたＢ用階調電圧を選択することによってＢ用表示信号電圧が出力される。さらに、Ｇ画像データ５６の階調レベルＸｇに応じてＧ用階調電圧生成回路１６で生成されたＧ用階調電圧を選択することによってＧ用表示信号電圧が出力される
ク
「【００４８】走査信号側駆動回路４０は、複数のカラー絵素２、４および６のうち、表示信号電圧が印加されるカラー絵素を順次選択する走査信号を表示パネル２０に出力する。信号側駆動回路１８から出力されたＲ、ＢおよびＧ用表示信号電圧のそれぞれは、液晶パネル２０のＲ、ＢおよびＧ絵素２、４および６に印加され、カラー表示が行われる。」
ケ
「【００４９】上述のように、従来のカラー液晶装置では表示信号電圧は異なる色のカラー絵素に対して、１種類しか供給されていなかったが、本発明では複数種類の表示信号電圧（Ｒ用、Ｂ用およびＧ用表示信号電圧）を供給することによって、表示色変化を抑制する。」
コ
「【００５０】以下、
各カラー絵素に印加される表示信号電圧
【００５１】図６は例えば色温度を７７００Ｋに設定する場合における（追加しています。）Ｒ、ＢおよびＧ３種の表示信号電圧を示したもので、中間輝度領域（例えば、６ビット画像で入力デジタル値が２０〜５０程度の領域）において、Ｂ画像に対するＢ表示信号電圧が、ＲおよびＧ画像に対するＲおよびＧ表示信号電圧よりも高い値になるように設定している。このことにより、上述の図２に示した液晶の印加電圧−透過率特性において、Ｂの曲線がＲおよびＧの曲線を超えている（Ｂ透過率がＲおよびＧよりも高い）のを補正できる。図７に、図６に示されるように表示信号電圧を決定した場合のＲ、ＧおよびＢ三原色に対するガンマ特性を示す。図７より、Ｒ、ＧおよびＢの３色に対するガンマ曲線をほぼ一致させることができたことが分かる。」
サ
「【００５３】透過型カラー液晶装置の白色色温度は、バックライトおよび液晶素子のＲＧＢカラーフィルタの分光特性により決定されるが、階調電圧特性を変えることにより液晶装置の色温度を変えることが可能である。
　
　図５には、記載されたカラー表示装置１００は、信号側駆動回路１８と、階調電圧生成回路１０を有することが図示されている。
　　
　そこで、引用刊行物１の図５に記載されたカラー表示装置に基づいて、引用刊行物１に記載された発明を認定する。
　　
（ア）複数のＲ（第１カラー）絵素２、Ｂ（第２カラー）絵素４およびＧ（第３カラー）絵素６を有するカラー液晶表示装置１００（【００４６】）
　　
（イ−１）【００５３】より、カラー液晶表示装置１００は、バックライトおよび液晶素子のＲＧＢカラーフィルタを用いたカラー液晶表示装置といえる。
（イ−２）画像表示用メモリ５０は、「Ｒ画像データ５２、Ｂ画像データ５４およびＧ画像データ５６を含むカラー画像データを出力」（【００４７】）し、また、画像表示用メモリ５０で取り扱われる信号形態はデジタルの形態であることは技術常識であり、また、及び「入力デジタル値」（【００５１】との記載からみて、画像表示用メモリ５０には、デジタルデータである上記カラー画像データが入力されることは明らかである。
　そして、図５から、画像表示用メモリ５０がカラー液晶表示装置１００に含まれることを考慮すると、上記カラー画像データが画像表示用メモリ５０に入力されることは、即ちカラー液晶表示装置１００に入力されることを意味する。
　以上のことから、上記カラー画像データが、カラー液晶表示装置１００に入力されるＲ画像データ５２、Ｂ画像データ５４およびＧ画像データ５６を含むデジタルデータであるカラー画像データといえることは明らかである。
（イ−３）【００４７】の記載は、要するに、信号側駆動回路１８は、入力されたＲ画像データ５２、Ｂ画像５４データおよびＧ緑画像データ５６を、それぞれ、Ｒ用表示信号電圧、Ｂ用表示信号電圧およびＧ用表示信号電圧を出力するとの記載である。
　そして、Ｒ画像データ５２、Ｂ画像５４データおよびＧ緑画像データ５６は、（イ−２）で述べたとおり、デジタルデータであり、また、Ｒ用表示信号電圧、Ｂ用表示信号電圧およびＧ用表示信号電圧は、それぞれアナログ電圧であることは明らかである。
　また、【００４６】と【００５０】から、
各
（イ−４）信号側駆動回路１８が、上記デジタルデータが入力され、上記アナログ電圧が出力されるから、上記デジタルデータを上記アナログ電圧に変換する手段を有することは明らかである。
（イ−５）「（イ−２）」ないし「（イ−４）」から、信号側駆動回路１８は、デジタルデータであるＲ画像データ５２、Ｂ画像５４データおよびＧ画像データ５６をＲ（第１カラー）絵素２、Ｂ（第２カラー）絵素４およびＧ（第３カラー）絵素６にそれぞれ印加するアナログ電圧に変換する手段を有することは明らかである。
（イ−６）
　「（イ−１）」ないし「（イ−５）」をまとめてみると、信号側駆動回路１８は、バックライトおよび液晶素子のＲＧＢカラーフィルタを用いたカラー液晶表示装置１００に入力されるデジタルデータであるＲ画像データ５２、Ｂ画像データ５４およびＧ画像データ５６を含むカラー画像データをＲ（第１カラー）絵素２、Ｂ（第２カラー）絵素４およびＧ（第３カラー）絵素６にそれぞれ印加するアナログ電圧に変換する手段を有する信号側駆動回路１８である。
　　
（ウ）
【００４３】の「第１階調電圧生成回路」，「第２階調電圧生成回路」，「第３階調電圧生成回路」と【００４６】の「Ｒ用階調電圧生成回路１２」，「Ｂ用階調電圧生成回路１４」，「Ｇ用階調電圧生成回路１６」と同一の回路である。
　したがって、【００４３】の記載から、階調電圧生成回路１０は、Ｒ画像データの階調レベルＸｒに応じて｛ＶＧｒ｝から選択したＲ表示信号電圧を出力するＲ用階調電圧生成回路１２、Ｂ画像データの階調レベルＸbに応じて｛ＶＧｂ｝から選択したＢ表示信号電圧を出力するＢ用階調電圧生成回路１４、Ｇ画像データの階調レベルXｇに応じて｛ＶＧｇ｝から選択したＧ表示信号電圧を出力するG用階調電圧生成回路１６からなる階調電圧生成回路１０である。
　
（エ）
（イ−５）から、信号側駆動回路１８は、デジタルデータであるＲ画像データ５２、Ｂ画像５４データおよびＧ画像データ５６をＲ（第１カラー）絵素２、Ｂ（第２カラー）絵素４およびＧ（第３カラー）絵素６にそれぞれ印加するアナログ電圧に変換する機能を有する。
　そして、上記「Ｒ（第１カラー）絵素２、Ｂ（第２カラー）絵素４およびＧ（第３カラー）絵素６にそれぞれ印加するアナログ電圧」は、【００４３】に記載された、Ｒ画像データの階調レベルＸｒに応じて｛ＶＧｒ｝から選択したＲ表示信号電圧、Ｂ画像データの階調レベルＸbに応じて｛ＶＧｂ｝から選択したＢ表示信号電圧、Ｇ画像データの階調レベルXｇに応じて｛ＶＧｇ｝から選択したＧ表示信号電圧に基づく電圧であることは明らかである。
【００４７】から、カラー画像データは、Ｒ画像データ５２、Ｂ画像データ５４およびＧ画像データ５６を含む。
　したがって、前記信号側駆動回路１８が、前記カラー画像データに含まれ、デジタルデータであるＲ画像データ５２を階調レベルＸｒに応じて前記｛ＶＧｒ｝から選択したＲ用表示信号電圧に基づきアナログ電圧に変換し、また、デジタルデータであるＢ画像データ５４を階調レベルＸｂに応じて前記｛ＶＧｂ｝から選択したＢ用表示信号電圧に基づきアナログ電圧に変換し、さらに、デジタルデータであるＧ画像データ５６を階調レベルＸｇに応じて前記｛ＶＧｇ｝から選択したＧ用表示信号電圧に基づきアナログ電圧に変換する機能を有することは明らかである。
　
　よって、前記記載事項アないし記載事項サ、及び図面の記載から、引用刊行物１には、
「 複数のＲ（第１カラー）絵素２、Ｂ（第２カラー）絵素４およびＧ（第３カラー）絵素６を有するカラー液晶表示装置１００において、
　バックライトおよび液晶素子のＲＧＢカラーフィルタを用いた前記カラー液晶表示装置１００に入力されるデジタルデータであるＲ画像データ５２、Ｂ画像データ５４およびＧ画像データ５６を含むカラー画像データを前記Ｒ（第１カラー）絵素２、Ｂ（第２カラー）絵素４およびＧ（第３カラー）絵素６にそれぞれ印加するアナログ電圧に変換する手段を有する信号側駆動回路１８と、
　前記Ｒ画像データの階調レベルＸｒに応じて｛ＶＧｒ｝から選択したＲ表示信号電圧を出力するＲ用階調電圧生成回路１２、前記Ｂ画像データの階調レベルＸbに応じて｛ＶＧｂ｝から選択したＢ表示信号電圧を出力するＢ用階調電圧生成回路１４、前記Ｇ画像データの階調レベルXgに応じて｛ＶＧｇ｝から選択したＧ表示信号電圧を出力するG用階調電圧生成回路１６からなる階調電圧生成回路１０を有し、
　前記信号側駆動回路１８が、前記カラー画像データに含まれ、デジタルデータであるＲ画像データ５２を階調レベルＸｒに応じて前記｛ＶＧｒ｝から選択したＲ用表示信号電圧に基づきアナログ電圧に変換し、また、デジタルデータであるＢ画像データ５４を階調レベルＸｂに応じて前記｛ＶＧｂ｝から選択したＢ用表示信号電圧に基づきアナログ電圧に変換し、さらに、デジタルデータであるＧ画像データ５６を階調レベルＸｇに応じて前記｛ＶＧｇ｝から選択したＧ用表示信号電圧に基づきアナログ電圧に変換するカラー液晶表示装置１００。」の発明（以下「引用発明」という。）が記載されていると認められる。
　
（２）　周知例１
　本願の出願前に頒布された刊行物である特開２００３−２９２３５号公報には、以下の事項が図面とともに記載されている。
　
ア
「【０００１】
【発明の属する技術分野】本発明は、
フィールドシーケンシャル型液晶ディスプレイ
イ
「【０００４】そこで、近年においては、ＲＧＢからなる光源を交互かつ高速に点灯し、高速対応が可能な光スイッチとしての液晶セルと組み合わせた、時間分割方式、いわゆる「フィールドシーケンシャル方式のＬＣＤ」（以下、ＦＳ−ＬＣＤとする場合がある。）が開発されてきている。
【０００５】
この手法においては、１画素がＲＧＢに発光でき、さらに従来用いられてきたカラーフィルタが必要とされない
ウ
「【００２９】本発明に用いることができるＬＥＤ発光素子としては、青色系、緑色系ＬＥＤとしては、インジウム−ガリウム−チッソ系、赤色ＬＥＤとしては、アルミニウム−ガリウム−インジウム−リン系などが発光効率の点から好ましく用いることが出来る。（略）」
　
（３）　周知例２
　本願の出願前に頒布された刊行物である特開平３−１０９５９６号公報には、以下の事項が図面とともに記載されている。
　
ア
「〔産業上の利用分野〕
　本発明は光源を用いて液晶パネルに画像を表示する液晶表示装置に係わり、特に単板の液晶パネルを用いて高精細なカラー画像を表示するのに好適な液晶カラー表示装置に関する。」（公報２ページ右上欄９〜１３行）
イ
「〔課題を解決するための手段〕
　上記目的を達成するために、
（１）　映像信号をＫＧＢ原色信号に分解し、
（２）分解した各原色信号をメモリーし、
（３）各メモリーされた原色信号を１フイールドｌづつ計回読みだし、
（４）読み出された各色ごとに１フイールド内に合計３回の書き込みを行い、
（５）
各原色信号の書き込み時期に合わせてパネル上の画素の色を切り換え
てカラー画像を再生する。
　１例として、液晶などの透過形単色パネルを用いて、まずＲ原色信号だけの情報でパネルに書き込み、次にＧ原色信号の情報でパネルに書き込み、最後にＢ原色信号の情報でパネルに書き込む。すなわち
各画素には１フイールドに３回の画像情報を面順次で書き込み、各ＲＧＢ信号の省き込み時期に合わせてＲＧＢのバックライトを発光させる。
　
　周知例１及び周知例２の記載によれば、液晶カラー表示装置において、バックライトを時分割で切り替えたものは、「フィールドシーケンシャル型」とも呼称されるように、カラーフィルタを用いたものに代わる、従来周知な液晶カラー表示装置である。
　
４　対比
　本願補正発明と引用発明とを対比する。
（１）
　引用発明の「複数のＲ（第１カラー）絵素２、Ｂ（第２カラー）絵素４およびＧ（第３カラー）絵素６」は、カラー液晶表示装置１００の構成要素であり、カラー画像データが印加されるから、本願補正発明の「液晶素子」に相当する。また、引用発明の「カラー液晶表示装置１００」は、本願補正発明の「液晶表示装置」に相当する。
　したがって、引用発明の「複数のＲ（第１カラー）絵素２、Ｂ（第２カラー）絵素４およびＧ（第３カラー）絵素６を有するカラー液晶表示装置１００」は、本願補正発明の「液晶素子を有する液晶表示装置」に相当する。
　
（２）
　引用発明の「バックライトおよび液晶素子のＲＧＢカラーフィルタを用いた前記カラー液晶表示装置１００」と本願補正発明の「バックライトの色を時分割で切り替える時分割カラー方式の前記液晶表示装置」とは、前記液晶表示装置の点で共通する。
　引用発明の「デジタルデータであるＲ画像データ５２、Ｂ画像データ５４およびＧ画像データ５６を含むカラー画像データ」は、本願補正発明の「ディジタルデータである表示データ」に相当する。
　引用発明の「前記Ｒ（第１カラー）絵素２、Ｂ（第２カラー）絵素４およびＧ（第３カラー）絵素６に印加するアナログ電圧に変換する手段」は、ディジタルデータをアナログ電圧に変換する手段であるが、そのような手段は、液晶表示の技術分野において、「ディジタル・アナログ変換回路」とも呼称されているから、本願補正発明の「ディジタル・アナログ変換回路」に相当する。
　引用発明の「信号側駆動回路１８」は、本願補正発明の「データドライバ」に相当する。
　したがって、引用発明の「前記カラー液晶表示装置１００に入力されるデジタルデータであるＲ画像データ５２、Ｂ画像データ５４およびＧ画像データ５６を含むカラー画像データを前記Ｒ（第１カラー）絵素２、Ｂ（第２カラー）絵素４およびＧ（第３カラー）絵素６にそれぞれ印加するアナログ電圧に変換する手段を有する信号側駆動回路１８」と本願補正発明の「バックライトの色を時分割で切り替える時分割カラー方式の前記液晶表示装置に入力されるディジタルデータである表示データを前記液晶素子に印加するアナログ電圧に変換するディジタル・アナログ変換回路を有するデータドライバ」とは、前記液晶表示装置に入力されるディジタルデータである表示データを前記液晶素子に印加するアナログ電圧に変換するディジタル・アナログ変換回路を有するデータドライバの点で共通する。
　
（３）
　本願補正発明の「前記ディジタル・アナログ変換回路が、前記表示データを対応するアナログ電圧に変換するために複数の前記アナログ電圧の組み合わせを複数組発生する階調基準電圧発生部を有し」なる事項について検討する。
　本願補正発明の第１実施例が図示されたＦＩＧ．７には、本願補正発明の「ディジタル・アナログ変換回路」に対応する「Ｄ／Ａ変換＋アンプ段」が記載されているが、当該「Ｄ／Ａ変換＋アンプ段」は、本願補正発明の「階調基準発生部」に対応する階調基準電圧回路５２，５４を有していないから、本願補正発明の上記事項中の「有し」の主体は、前記ディジタル・アナログ変換回路ではない。
　そして、ＦＩＧ．３も参照すると、本願補正発明の上記事項中の「有し」の主体は、液晶表示装置であると解釈するのが合理的である。
　ところで、本願の明細書の【００３５】には、本願補正発明の「複数の前記アナログ電圧の組み合わせを複数組発生する階調基準電圧発生部」に関して、以下のとおり記載されている。
「【００３５】
　図７中に、ソースドライバ用駆動電圧の内、複数の階調基準電圧発生回路５２、５４を有したＬＣＤ電源回路５０の１実施例を示す。階調基準電圧発生回路５２、５４が２種類以上あり、これらの階調基準電圧発生回路５２、５４よって生成した階調基準電圧「Ｖ０、Ｖ１、・・・、Ｖ８」は、階調基準電圧発生回路毎に異なるものであり、生成された階調基準電圧「Ｖ０、Ｖ１、・・・、Ｖ８」は、表示色毎にＬＣＤ制御回路３０からの選択信号ＳＥＬ−ＣＳによって制御されるスイッチ５６によって切替えられる。なお、図７では、階調基準電圧発生回路が２種類の場合を示したが、Ｒ、Ｇ、Ｂに対応させて、３種類の階調基準電圧「Ｖ０、Ｖ１、・・・、Ｖ８」を生成する様に構成してもよく、また、階調基準電圧を「Ｖ０、Ｖ１、・・・、Ｖ８、Ｖ９、・・・、Ｖ１５、Ｖ１６」の様により細かく分圧して生成しても良い。」
　
　この記載によれば、本願補正発明の「複数の前記アナログ電圧の組み合わせ」は、２種類以上の階調基準電圧発生回路によって生成した階調基準電圧「Ｖ０、Ｖ１、・・・Ｖ８」のことである。
　そうすると、引用発明の「階調電圧生成回路１０」から出力される「前記Ｒ画像データの階調レベルＸｒに応じて｛ＶＧｒ｝から選択したＲ表示信号電圧」、「前記Ｂ画像データの階調レベルＸbに応じて｛ＶＧｂ｝から選択したＢ表示信号電圧」、及び「前記Ｇ画像データの階調レベルXgに応じて｛ＶＧｇ｝から選択したＧ表示信号電圧」は、それぞれ、本願補正発明の「複数の前記アナログ電圧の組み合わせ」に相当する。
　また、当該相当関係から、引用発明の上記「Ｒ表示信号電圧」、上記「Ｂ表示信号電圧」、及び上記「Ｇ表示信号電圧」は、本願補正発明の「複数の前記アナログ電圧の組み合わせを複数組」における３組の場合に相当するといえる。
　したがって、引用発明の「前記Ｒ画像データの階調レベルＸｒに応じて｛ＶＧｒ｝から選択したＲ表示信号電圧を出力するＲ用階調電圧生成回路１２、前記Ｂ画像データの階調レベルＸbに応じて｛ＶＧｂ｝から選択したＢ表示信号電圧を出力するＢ用階調電圧生成回路１４、前記Ｇ画像データの階調レベルXgに応じて｛ＶＧｇ｝から選択したＧ表示信号電圧を出力するG用階調電圧生成回路１６からなる階調電圧生成回路１０」は、本願補正発明の「前記ディジタル・アナログ変換回路が、前記表示データを対応するアナログ電圧に変換するために複数の前記アナログ電圧の組み合わせを複数組発生する階調基準電圧発生部」に相当する。
　
（４）
　引用発明の「カラー画像データ」は、本願補正発明の「表示データ」に相当し、また、引用発明の「Ｒ画像データ５２」、「Ｂ画像データ５４」、「Ｇ画像データ５６」は、「カラー画像データ」に含まれるから、本願補正発明における「表示データに含まれる表示色に応じて」の「表示色」に相当する。
　引用発明の「前記｛ＶＧｒ｝」、前記「｛ＶＧｂ｝」、「前記｛ＶＧｇ｝」は、本願補正発明の「前記アナログ電圧の複数組のいずれか」に相当する。
　引用発明の「デジタルデータである、Ｒ画像データ５２を・・・アナログ電圧であるＲ用表示信号電圧に変換し」、「デジタルデータであるＢ画像データ５４を・・・アナログ電圧であるＢ用表示信号電圧に変換し」、「デジタルデータであるＧ画像データ５６を・・・アナログ電圧であるＧ用表示信号電圧に変換する」は、本願補正発明の「前記ディジタルデータをアナログ電圧に変換する」に相当する。
　したがって、引用発明の「前記信号側駆動回路１８が、前記カラー画像データに含まれ、デジタルデータであるＲ画像データ５２を階調レベルＸｒに応じて前記｛ＶＧｒ｝から選択したＲ用表示信号電圧に基づきアナログ電圧に変換し、また、デジタルデータであるＢ画像データ５４を階調レベルＸｂに応じて前記｛ＶＧｂ｝から選択したＢ用表示信号電圧に基づきアナログ電圧に変換し、さらに、デジタルデータであるＧ画像データ５６を階調レベルＸｇに応じて前記｛ＶＧｇ｝から選択したＧ用表示信号電圧に基づきアナログ電圧に変換する」は、本願補正発明の「前記データドライバは、前記表示データに含まれる表示色に応じて、前記アナログ電圧の複数組のいずれかに基づき、前記ディジタルデータをアナログ電圧に変換する」に相当する。
　
　よって、前記（１）ないし（４）から、引用発明と本願補正発明とは、
「液晶素子を有する液晶表示装置において、
　前記液晶表示装置に入力されるディジタルデータである表示データを前記液晶素子に印加するアナログ電圧に変換するディジタル・アナログ変換回路を有するデータドライバと、
　前記ディジタル・アナログ変換回路が、前記表示データを対応するアナログ電圧に変換するために複数の前記アナログ電圧の組み合わせを複数組発生する階調基準電圧発生部を有し、
　前記データドライバは、前記表示データに含まれる表示色に応じて、前記アナログ電圧の複数組のいずれかに基づき、前記ディジタルデータをアナログ電圧に変換する液晶表示装置。」の点で一致し、以下の点で相違する。
　
（相違点１）
　液晶表示装置が、本願補正発明では、「バックライトの色を時分割で切り替える時分割カラー方式の前記液晶表示装置」であるのに対して、引用発明では、「バックライトおよび液晶素子のＲＧＢカラーフィルタを用いた前記カラー液晶表示装置１００」である点。
　
５　判断
　「３」の末尾で述べたとおり、　周知例１及び周知例２の記載によれば、液晶カラー表示装置において、バックライトの色を時分割で切り替えたものは、「フィールドシーケンシャル型」とも呼称されるように、従来周知な技術である。
　そして、本願の明細書には、
「【００６４】
　上記第１〜第５の実施の形態で、液晶材料を強誘電性液晶、反強誘電性液晶とし、バックライトの色をＲＧＢに切り替える時分割カラー方式を用いて説明したが、本発明は液晶素子前面にカラーフィルタを配置し、液晶素子背面から白色光を照射するカラー方式にも適宜、使用可能である。」と記載されており、バックライトの色を時分割で切り替える時分割カラー方式の液晶表示装置に本願補正発明を適用したしたことで、カラーフィルタを用いたカラー液晶装置に適用した引用発明に比して、格別顕著な作用効果を奏するともいえない。
　したがって、相違点１に係る本願補正発明の発明特定事項は、引用発明及び従来周知な技術に基づいて当業者が容易に想到し得た事項である。
　
　そして、本願補正発明の奏する効果は、引用刊行物１の記載から、当業者が予測し得る範囲内のものにすぎず、格別なものとはいえない。
　以上のことから、本願補正発明は、引用発明及び従来周知な技術に基づいて当業者が容易に発明をすることができたものである。
　
６　むすび
　以上のとおり、本願補正発明は、引用発明及び従来周知な技術に基づいて当業者が容易に発明をすることができたものであるから、特許法第２９条第２項の規定により、特許出願の際独立して特許を受けることができない。  
　したがって、本件補正は、平成１８年改正前特許法第１７条の２第５項において準用する同法第１２６条第５項の規定に違反するから、特許法第１５９条第１項において読み替えて準用する同法第５３条第１項の規定により却下すべきものである。
　
第３　本願発明
　本件補正は前記「第２」の項に記載したとおり却下され、また、平成２０年１１月７日付けの手続補正は既に却下されているので、本願の請求項１に係る発明（以下「本願発明」という。）は、平成２０年６月１７日付け手続補正によって補正された明細書、特許請求の範囲、及び図面の記載からみて、その特許請求の範囲の請求項１に記載された事項により特定される以下のとおりのものである。  
　
「液晶素子を有する液晶表示装置において、
　前記液晶表示装置に入力されるディジタルデータである表示データを前記液晶素子に印加するアナログ電圧に変換するディジタル・アナログ変換回路を有するデータドライバと、　前記ディジタル・アナログ変換回路が、前記表示データを対応するアナログ電圧に変換するために複数の前記アナログ電圧の組み合わせを複数組発生する階調基準電圧発生部を有し、
　前記データドライバは、前記表示データに含まれる表示色に応じて、前記アナログ電圧の複数組のいずれかに基づき、前記ディジタルデータをアナログ電圧に変換することを特徴とする液晶表示装置。」
　
第４　引用刊行物
　引用刊行物１、引用刊行物１の記載事項及び引用発明は、「第２　３　」の項に記載したとおりである。
　
第５　対比・判断
　本願発明と引用発明とを比較すると、「第２　４」で説示した相当関係から、
「液晶素子を有する液晶表示装置において、
　前記液晶表示装置に入力されるディジタルデータである表示データを前記液晶素子に印加するアナログ電圧に変換するディジタル・アナログ変換回路を有するデータドライバと、前記ディジタル・アナログ変換回路が、前記表示データを対応するアナログ電圧に変換するために複数の前記アナログ電圧の組み合わせを複数組発生する階調基準電圧発生部を有し、
　前記データドライバは、前記表示データに含まれる表示色に応じて、前記アナログ電圧の複数組のいずれかに基づき、前記ディジタルデータをアナログ電圧に変換する液晶表示装置。」の点で一致し、相違点はない。
　
　したがって、本願発明は、引用刊行物１に記載された発明である。
　
第６　むすび
　以上のとおり、本願発明は、引用刊行物１に記載された発明であり、特許法第２９条第１項第３号に掲げる発明に該当するから、特許を受けることができない。
　そして、本願発明が特許を受けることができないものであるから、その余の請求項に係る発明について検討するまでもなく、本願は拒絶すべきものである。
　よって、結論のとおり審決する。